(57)【特許請求の範囲】
【請求項１】
養殖対象とする魚が生息する水域の水面下に該水域の水面に沿った水面方向に広げられた網状部材と、
前記水域の水深方向に対して前記網状部材の下に前記網状部材と所定の間隔を空けて設けられた板状部材と、
を備えた魚養殖装置。
【請求項２】
前記網状部材は、前記水域の水深方向に対して所定の間隔を空けて複数設けられ、かつ設けられた位置の水深が深くなるほど、網目の大きさが小さくされている
請求項１記載の魚養殖装置。
【請求項３】
養殖対象とする魚が生息する水域の水面下に該水域の水面に沿った水面方向に広げられ、前記水域の水深方向に所定の間隔を空けて複数設けられた網状部材を備え、
前記網状部材は、設けられた位置の水深が深くなるほど、網目の大きさが小さくされている
魚養殖装置。
【請求項４】
前記水深方向に対して前記複数の網状部材の下に前記網状部材と所定の間隔を空けて板状部材がさらに設けられている
請求項３記載の魚養殖装置。
【請求項５】
前記板状部材は、表面が波状に形成されている
請求項１、請求項２、及び請求項４の何れか１項記載の魚養殖装置。 
【請求項６】
前記網状部材の少なくとも１つは、前記魚の餌が置かれ、
前記魚の餌が置かれる前記網状部材は、前記餌が置かれた状態で、前記水深方向に対して湾曲した状態となる
請求項１から請求項５の何れか１項記載の魚養殖装置。
【請求項７】
前記水域の水面に最も近い位置に設けられた網状部材の上側に、遮光性を有する部材を含んで形成された遮光網状部材をさらに備えた
請求項１から請求項６の何れか１項記載の魚養殖装置。
【発明の詳細な説明】
【技術分野】
【０００１】
本発明は、魚養殖装置に関する。
【背景技術】
【０００２】
従来、食用、観賞用、愛玩用、研究用、餌用等として、淡水魚及び海水魚の別を問わず、多くの種類の魚が養殖されている。
【０００３】
また、魚を養殖する場合に、魚の成長速度を高めるために、生き餌等の天然の餌だけではなく、例えば、市販されている魚の餌を練って団子状にした人工餌等を、養殖対象とする魚が生息する水域や養殖場等に給餌することが行われている。
【０００４】
しかしながら、人工餌を水域や養殖場等に給餌する手法では、人工餌が水底に沈み、魚による餌の食べ残しが発生しやすく、人工餌の消費効率が必ずしも高いとはいえなかった。なお、以下では、魚により食べ残された餌を「残餌」という。また、この手法では、残餌が水底の底土等に混じってしまうため、残餌を水底から取り除くことが困難であった結果、残餌が腐敗することにより、水質が悪化してしまう虞が高かった。
【０００５】
この問題を解決するために適用することができる技術として、特許文献１には、網状部材が水域の水深方向に所定の間隔を空けて複数設けられた藻類繁殖装置が開示されている。
【０００６】
この藻類繁殖装置によれば、網状部材上に人工餌を置くことで、残餌が水底に沈むことを抑制することができる。
【先行技術文献】
【特許文献】
【０００７】
【特許文献１】特開２００８−０９２８５５号公報
【発明の概要】
【発明が解決しようとする課題】
【０００８】
しかしながら、上記特許文献１に開示されている技術では、人工餌を魚が食べる場合に、人工餌が細かく分裂し、分裂した人工餌が残餌として網状部材の網目をすり抜けて水底に沈んでしまう場合があった。また、この場合、前述したように、人工餌の消費効率が低下し、さらに水質が悪化してしまう結果、必ずしも生産性の高い養殖を行うことができるとは限らない、という問題点があった。
【０００９】
なお、この問題点は、人工餌に限らず、細かく分裂する天然の餌でも生じ得ることである。
【００１０】
本発明は上記問題点を解決するためになされたものであり、残餌に起因する生産性の低下を抑制することができる魚養殖装置を提供することを目的とする。
【課題を解決するための手段】
【００１１】
上記目的を達成するために、第１の発明の魚養殖装置は、養殖対象とする魚が生息する水域の水面下に該水域の水面に沿った水面方向に広げられた網状部材と、前記水域の水深方向に対して前記網状部材の下に前記網状部材と所定の間隔を空けて設けられた板状部材と、を備えている。
【００１２】
第１の発明の魚養殖装置によれば、網状部材が、養殖対象とする魚が生息する水域の水面下に該水域の水面に沿った水面方向に広げられ、板状部材が、水域の水深方向に対して網状部材の下に網状部材と所定の間隔を空けて設けられている。
【００１３】
第１の発明の魚養殖装置では、養殖の作業を行う作業者（以下、単に「作業者」という。）により網状部材上に餌が置かれる。また、魚が餌を食べることにより分裂した餌が網状部材の網目をすり抜けて板状部材に落下する。そして、魚は、板状部材に落下した餌も食べる結果、残餌の量を低減することができる。さらに、板状部材に落下した餌を魚が食べ残した場合でも、定期的に作業者が板状部材を水域の外に取り出して清掃することで、水質の悪化を抑制することができる。従って、残餌に起因する生産性の低下を抑制することができる。
【００１４】
なお、第１の発明の魚養殖装置は、前記網状部材が、前記水域の水深方向に対して所定の間隔を空けて複数設けられ、かつ設けられた位置の水深が深くなるほど、網目の大きさが小さくされていてもよい。これにより、後述する第２の発明と同様に、残餌の量を低減することができ、かつ水質の悪化を抑制することができる結果、残餌に起因する生産性の低下を抑制することができる。
【００１５】
一方、上記目的を達成するために、第２の発明の魚養殖装置は、養殖対象とする魚が生息する水域の水面下に該水域の水面に沿った水面方向に広げられ、前記水域の水深方向に所定の間隔を空けて複数設けられた網状部材を備え、前記網状部材は、設けられた位置の水深が深くなるほど、網目の大きさが小さくされている。
【００１６】
第２の発明の魚養殖装置によれば、養殖対象とする魚が生息する水域の水面下に該水域の水面に沿った水面方向に広げられた網状部材が、水域の水深方向に所定の間隔を空けて複数設けられている。また、網状部材は、設けられた位置の水深が深くなるほど、網目の大きさが小さくされている。
【００１７】
第２の発明の魚養殖装置では、作業者により水面側に位置する網状部材上に餌が置かれる。また、魚が餌を食べることにより分裂した餌が網状部材の網目をすり抜けて、水深方向の下に位置する網状部材に落下する。ここで、設けられた位置の水深が深くなるほど、網状部材の網目の大きさが小さくなっているため、網状部材の網目をすり抜けた餌は、該網状部材の水深方向の下に位置する網状部材上に留まる場合が多い。そして、魚は、該網状部材に留まった餌も食べる結果、残餌の量を低減することができる。さらに、網状部材に残餌がある場合は、定期的に作業者が網状部材を水域の外に取り出して清掃することで、水質の悪化を抑制することができる。従って、残餌に起因する生産性の低下を抑制することができる。
【００１８】
なお、第２の発明の魚養殖装置は、前記水深方向に対して前記複数の網状部材の下に前記網状部材と所定の間隔を空けて板状部材がさらに設けられていてもよい。これにより、第１の発明と同様に、残餌の量を低減することができ、かつ水質の悪化を抑制することができる結果、残餌に起因する生産性の低下を抑制することができる。
【００１９】
また、本発明の魚養殖装置は、前記板状部材が、表面が波状に形成されていてもよい。これにより、板状部材の表面が平板状である場合に比較して、板状部材上の餌が、魚が泳ぐこと等により発生する水流によって板状部材の外側に飛散して水底に落下することを抑制することができる結果、残餌に起因する生産性の低下をより抑制することができる。
【００２０】
また、本発明の魚養殖装置は、前記網状部材の少なくとも１つが、前記魚の餌が置かれ、前記魚の餌が置かれる前記網状部材が、前記餌が置かれた状態で、前記水深方向に対して湾曲した状態となってもよい。これにより、網状部材が、餌が置かれた状態で平板状である場合に比較して、網状部材上の餌が、魚が泳ぐこと等により発生する水流によって網状部材の外側に飛散して水底に落下することを抑制することができる結果、残餌に起因する生産性の低下をより抑制することができる。
【００２１】
また、本発明の魚養殖装置は、前記水域の水面に最も近い位置に設けられた網状部材の上側に、遮光性を有する部材を含んで形成された遮光網状部材をさらに備えてもよい。これにより、日光等の光が遮られることにより、魚が活発に餌を食べる結果、生産性の低下をより抑制することができる。さらに、魚を鳥獣等の攻撃から守ることができる結果、生産性の低下をより抑制することができる。
【発明の効果】
【００２５】
本発明によれば、残餌に起因する生産性の低下を抑制することができる、という効果が得られる。
【図面の簡単な説明】
【００２６】
【図１】実施の形態に係る魚養殖装置の構成を示す平面図である。
【図２】実施の形態に係る魚養殖装置の構成を示す側面断面図である。
【図３】実施の形態に係る魚養殖装置の構成を示す正面断面図である。
【図４】実施の形態に係る遮光網状部材の構成を示す平面図である。
【図５】実施の形態に係る第１網状部材の構成を示す平面図である。
【図６】実施の形態に係る第１網状部材に人工餌が置かれた状態の説明に供する側面図である。
【図７】実施の形態に係る第２網状部材の構成を示す平面図である。
【図８】実施の形態に係る板状部材の構成を示す平面図である。
【図９】実施の形態に係る浮遊植物の説明に供する正面断面図である。
【図１０】実施の形態に係る排水部材の説明に供する側面図である。
【図１１】実施の形態に係る魚の養殖作業の流れを示すフローチャートである。
【図１２】変形例に係る魚養殖装置の構成を示す側面断面図である。
【図１３】変形例に係る第３網状部材の構成を示す平面図である。
【図１４】変形例に係る板状部材の構成を示す側面断面図である。
【図１５】変形例に係る魚養殖装置の構成を示す平面図である。
【図１６】変形例に係る魚養殖装置の構成を示す平面図である。
【図１７】変形例に係る魚養殖装置の構成を示す平面図である。
【発明を実施するための形態】
【００２７】
以下、図面を参照して、本発明を実施するための形態例について詳細に説明する。なお、ここでは、養殖対象とする魚として、ドジョウを適用した形態例について説明する。
【００２８】
まず、図１〜図１０を参照して、本実施の形態に係る魚養殖装置１０の構成について説明する。図１〜図３に示すように、本実施の形態に係る魚養殖装置１０は、水槽１２、複数組（本実施の形態では３組）の浮遊体１４、複数組（本実施の形態では４組）の浮遊植物群１６、給水管１８、排水部材２０、及び各々複数（本実施の形態では２本ずつ）の外枠管２２Ａ、２２Ｂを備えている。
【００２９】
なお、図２は図１におけるＡ−Ａ線断面図であり、図３は図１におけるＢ−Ｂ線断面図である。また、錯綜を回避するために、図２では浮遊植物群１６の図示を省略し、図３では、浮遊体１４、浮遊植物群１６、及び外枠管２２Ａ、２２Ｂの図示を省略している。また、魚養殖装置１０の設置場所は特に限定されず、屋内でもよいし、屋外でもよい。
【００３０】
図１〜図３に示すように、本実施の形態に係る水槽１２は、形状が直方体状で、かつ１つの面が開口部とされ、地面上に設置された複数（本実施の形態は、２つ）の直方体状の台２４の上に設置されている。また、水槽１２は、開口部が上面となるように、台２４の上に設置されている。また、水槽１２の底には底土２６が敷き詰められている。そして、水槽１２の壁面の内側の空間に対して、給水管１８から給水されることで、ドジョウＤが生息する水域Ｗが形成される。
【００３１】
図２に示すように、本実施の形態に係る浮遊体１４は、遮光網状部材３０、第１網状部材３６、第２網状部材４２、及び板状部材４６を備えている。
【００３２】
図２及び図４に示すように、本実施の形態に係る遮光網状部材３０は、２本の長尺状の外枠管３２Ａ、長尺状で、かつ長手方向の長さが外枠管３２Ａより長い２本の外枠管３２Ｂ、及び長尺状の補強管３２Ｃを備えている。また、遮光網状部材３０は、４本の平面視略Ｌ字状の継手３２Ｄ、及び遮光性を有する網３４を備えている。
【００３３】
本実施の形態に係る外枠管３２Ａ及び外枠管３２Ｂは、短手方向に切断した場合の断面の形状が円形とされており、内部が空洞となっている。また、本実施の形態に係る継手３２Ｄは、両端の開口部が円形とされており、内部が空洞となっている。また、外枠管３２Ａ及び外枠管３２Ｂの外径は、継手３２Ｄの内径と略同一とされている。
【００３４】
そして、外枠管３２Ａの両端部の各々が、対応する継手３２Ｄの一端部の開口部に差し込まれ、外枠管３２Ｂの両端部の各々が、対応する継手３２Ｄの他端部の開口部に差しこまれている。以上の構成により、遮光網状部材３０の外枠が平面視矩形状に形成され、該外枠の外周部は密閉された状態となっている。
【００３５】
また、本実施の形態に係る補強管３２Ｃも、短手方向に切断した場合の断面の形状が円形とされており、内部が空洞となっている。また、補強管３２Ｃの両端部は図示しない蓋等により閉鎖されている。そして、補強管３２Ｃの両端部の各々が、対応する外枠管３２Ｂの中央部に対して、図示しない紐や結束バンド等の結束部材により固定されている。
【００３６】
また、図４に示すように、本実施の形態に係る網３４は、広げられた状態で矩形状とされており、網目の形状が矩形とされている。また、網３４は、網目の大きさが、例えば鳥獣の足等のドジョウＤを攻撃する攻撃元が通過できない大きさとされている。また、網３４は、広げられた状態で、周縁部が図示しないクリップ等により、外枠管３２Ａ及び外枠管３２Ｂに固定されている。
【００３７】
なお、本実施の形態では、外枠管３２Ａ、外枠管３２Ｂ、補強管３２Ｃ、及び継手３２Ｄとして、薄肉の塩化ビニル管（ＶＵ管）を適用しているが、これに限定されない。外枠管３２Ａ、外枠管３２Ｂ、補強管３２Ｃ、及び継手３２Ｄとして、水に浮き、耐水性を有する他の部材を適用してもよい。
【００３８】
図２及び図５に示すように、本実施の形態に係る第１網状部材３６は、２本の長尺状の外枠管３８Ａ、長尺状で、かつ長手方向の長さが外枠管３８Ａより長い２本の外枠管３８Ｂ、長尺状の補強管３８Ｃ、及び遮光性を有する網４０を備えている。
【００３９】
本実施の形態に係る外枠管３８Ａ、外枠管３８Ｂ、及び補強管３８Ｃは、短手方向に切断した場合の断面の形状が円形とされている。そして、外枠管３８Ａの両端部の各々と、対応する外枠管３８Ｂの両端部の各々とが、図示しない結束部材により固定されている。以上の構成により、第１網状部材３６の外枠が平面視矩形状に形成されている。また、補強管３８Ｃの両端部の各々が、対応する外枠管３８Ｂの中央部に図示しない結束部材により固定されている。
【００４０】
また、図５に示すように、本実施の形態に係る網４０は、広げられた状態で矩形状とされており、網目の形状が矩形とされている。また、網４０は、広げられた状態で、周縁部が図示しない結束部材により、外枠管３８Ａ及び外枠管３８Ｂに固定されている。
【００４１】
また、図６に示すように、本実施の形態に係る網４０は、例えば市販されている魚の餌が団子状に練られた人工餌Ｆが網４０上に載せられた状態で、人工餌Ｆの重さによって網４０が水深方向に湾曲する（たわむ）ように、外枠管３８Ａ及び外枠管３８Ｂに固定されている。
【００４２】
なお、本実施の形態では、外枠管３８Ａ、外枠管３８Ｂ、及び補強管３８Ｃとして、ステンレス製の丸鋼を適用しているが、これに限定されない。外枠管３８Ａ、外枠管３８Ｂ、及び補強管３８Ｃとして、水に沈み、耐水性を有する他の部材を適用してもよい。
【００４３】
図２及び図７に示すように、本実施の形態に係る第２網状部材４２は、第１網状部材３６の網４０に代えて網４４を備えた構成となっている。
【００４４】
また、図７に示すように、本実施の形態に係る網４４は、広げられた状態で矩形状とされており、網目の形状が矩形とされている。また、網４４は、広げられた状態で、周縁部が図示しない結束部材により、外枠管３８Ａ及び外枠管３８Ｂに固定されている。さらに、網４４は、網目の大きさが第１網状部材３６の網４０より小さい。
【００４５】
図２及び図８に示すように、本実施の形態に係る板状部材４６は、２本の長尺状の外枠管３８Ａ、長尺状で、かつ長手方向の長さが外枠管３８Ａより長い２本の外枠管３８Ｂ、及び板４８を備えている。板状部材４６の外枠管３８Ａ及び外枠管３８Ｂは、第１網状部材３６と同様に構成されている。
【００４６】
また、図２及び図８に示すように、本実施の形態に係る板４８は、平面視矩形状とされており、表面が波状（側面視した場合に凹部と凸部とが交互に形成されている形状）とされている。板４８の一例としては、プラスチック製の波状トタンが挙げられる。また、板４８は、周縁部が図示しない結束部材により、外枠管３８Ａ及び外枠管３８Ｂに固定されている。
【００４７】
一方、図２に示すように、本実施の形態に係る遮光網状部材３０は、４つの角部（すなわち、各継手３２Ｄ）の底面側の各々に、複数の環状の部材が連結された鎖５０の一端部が図示しない結束部材により固定されている。また、鎖５０の他端部は水域Ｗの底に向けて垂れ下がった状態とされている。
【００４８】
そして、図２に示すように、第１網状部材３６、第２網状部材４２、及び板状部材４６が、この順番で水深方向（図２の下方向）に所定の間隔を空けて、各々４つの角部が対応する鎖５０に対して図示しないフック等により固定されている。
【００４９】
以上の構成により、浮遊体１４は、水に浮くようになっており、板状部材４６は、水域Ｗの底から所定の間隔を空けて設けられている。
【００５０】
一方、図１及び図９に示すように、本実施の形態に係る浮遊植物群１６は、水に浮く複数の浮遊植物が束ねられた複数（本実施の形態では６束）の浮遊植物束１６Ａが、一方向（図１の上下方向）に配列されたものである。また、図９に示すように、浮遊植物束１６Ａの浮遊植物の下端部は、水深方向に対して第１網状部材３６より下に位置されている。
【００５１】
なお、本実施の形態では、浮遊植物としてホテイアオイを適用しているが、これに限定されない。例えば、浮遊植物として、クレソンやセリ等の他の水に浮く植物を適用してもよい。
【００５２】
一方、図１及び図９に示すように、本実施の形態に係る外枠管２２Ａ、２２Ｂは、長尺状で、かつ短手方向に切断した場合の断面の形状が円形とされており、内部が空洞となっている。また、外枠管２２Ａ、２２Ｂの両端部は図示しない蓋等により閉鎖されている。また、外枠管２２Ｂは、長手方向の長さが外枠管２２Ａより長いものとされている。
【００５３】
そして、外枠管２２Ａの両端部の各々と、対応する外枠管２２Ｂの両端部の各々とが、図示しない結束部材により固定されている。以上の構成により、外枠が平面視矩形状に形成され、該外枠の外周部は密閉された状態となっている。
【００５４】
なお、本実施の形態では、外枠管２２Ａ、２２Ｂとして、薄肉のＶＵ管を適用しているが、これに限定されない。外枠管２２Ａ、２２Ｂとして、水に浮き、耐水性を有する他の部材を適用してもよい。
【００５５】
そして、図１及び図９に示すように、浮遊植物群１６と浮遊体１４とが、外枠管２２Ａ、２２Ｂにより形成された外枠内における水域Ｗの水面に沿った水面方向の一方向（図１の左右方向）に隣接して交互に配置されている。
【００５６】
一方、図３に示すように、本実施の形態に係る排水部材２０は、水域Ｗからの水が流入する長尺状の流入管６０、長尺状の連結管６２、正面視略Ｌ字状の複数（本実施の形態では２つの）継手６４、及び水が排出される長尺状の排水管６６を備えている。
【００５７】
本実施の形態に係る流入管６０、連結管６２、継手６４、及び排水管６６は内部が空洞とされており、各端部が開放されている。また、流入管６０、連結管６２、及び排水管６６の外径と継手６４の内径とが略同一とされている。そして、図３に示すように、流入管６０、連結管６２、継手６４、及び排水管６６が連結されている。
【００５８】
なお、本実施の形態では、流入管６０、連結管６２、継手６４、及び排水管６６として、ＶＰ管を適用しているが、これに限らない。例えば、流入管６０、連結管６２、継手６４、及び排水管６６として、ＶＵ管やステンレス管等を適用してもよい。
【００５９】
流入管６０における水域Ｗの底の近傍には、スリット６０Ａが刻み込まれており、スリット６０Ａから水域Ｗの水が流入する。また、流入管６０には、スリット６０Ａを覆うように、網６０Ｂが設けられている。本実施の形態に係る網６０Ｂは、網目の大きさが、ドジョウＤが通過できない大きさとされている。これにより、ドジョウＤが、スリット６０Ａを通過して水域Ｗの外部に移動することが防止される。
【００６０】
また、流入管６０の継手６４に差し込まれている端部とは反対側の端部は、水面より上の位置とされている。これにより、雨等により水域Ｗが急激に増水した場合でも、該反対側の端部から水域Ｗの水が流入し、水槽１２の外部に排水される。
【００６１】
また、図１０に示すように、排水管６６は、連結管６２を回転軸として矢印Ｇ方向に回動可能とされている。この構成により、当該回動によって、水域Ｗの水面の高さを、ドジョウＤの成長等に応じて細かく調整することができる。
【００６２】
次に、図１１を参照して、本実施の形態に係る魚養殖装置１０を用いた魚の養殖を行う際の作業の流れを説明する。なお、図１１は、当該作業を行う作業者によって実行される作業の流れを示すフローチャートである。また、錯綜を回避するために、本実施の形態では、魚養殖装置１０が図１〜図３に示す状態で設置され、水槽１２に水が貯められた状態で当該作業が開始されるものとする。
【００６３】
図１１のステップ１００で、作業者は、予め定められた数のドジョウＤを水槽１２内の水域Ｗに放流する。なお、本実施の形態では、上記予め定められた数として、水槽１２の底面積が広くなるほど多い数（一例として、１ｍ２当り雄、雌ともに２匹ずつ）を適用しているが、これに限らない。例えば、ドジョウＤの放流の時期等に応じて、上記予め定められた数を適宜決定してもよいことは言うまでもない。
【００６４】
次のステップ１０２で、作業者は、給餌するタイミングとして予め定められたタイミングが到来したか否かを判定する。この判定が肯定判定となった場合は、ステップ１０４に移行する一方、否定判定となった場合は、ステップ１０４を実行することなく、ステップ１０６に移行する。なお、本実施の形態では、上記給餌するタイミングとして、定期的（例えば１日２回等）なタイミングを適用している。
【００６５】
ステップ１０４で、作業者は、人工餌Ｆを各浮遊体１４の第１網状部材３６の網４０上に投与する。具体的には、作業者は、例えば、遮光網状部材３０の網３４を取り外し、人工餌Ｆを網４０上に投与した後、遮光網状部材３０の網３４を元の設置位置に戻す。
【００６６】
一方、ステップ１０６で、作業者は、第１網状部材３６の網４０、第２網状部材４２の網４４、及び板状部材４６の板４８の少なくとも１つ（以下、「清掃対象部材」という。）を清掃するタイミングとして予め定められたタイミングが到来したか否かを判定する。この判定が肯定判定となった場合は、ステップ１０８に移行する一方、否定判定となった場合は、ステップ１０８〜ステップ１１２を実行することなく、ステップ１１４に移行する。なお、本実施の形態では、上記清掃するタイミングとして、清掃対象部材の汚れの度合が、所定の度合を超えたタイミングを適用している。
【００６７】
ステップ１０８で、作業者は、清掃対象部材を水槽１２から取り出す。次のステップ１１０で、作業者は、ステップ１０８で取り出した清掃対象部材を清掃する。次のステップ１１２で、作業者は、ステップ１１０で清掃した清掃対象部材を元の設置位置に戻す。
【００６８】
一方、ステップ１１４で、作業者は、ドジョウＤを回収するタイミングとして予め定められたタイミングが到来したか否かを判定する。この判定が肯定判定となった場合は、ステップ１１６に移行する一方、否定判定となった場合は、ステップ１０２に戻る。なお、本実施の形態では、上記ドジョウＤを回収するタイミングとして、ドジョウＤが市場に出荷できる程度の体長（本実施の形態では、約１２ｃｍ）まで成長したタイミングを適用している。
【００６９】
ステップ１１６で、作業者は、網等を使用してドジョウＤを水槽１２から回収した後、本作業を終了する。作業者は、以上の作業の後、回収したドジョウＤを市場に出荷する作業を行う。
【００７０】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００７１】
また、上記実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【００７２】
例えば、上記実施の形態では、網３４、網４０、及び網４４の網目の形状として、矩形を適用した場合について説明したが、これに限定されない。例えば、網目の形状として、円形や楕円形、矩形以外の多角形等の他の形状を適用する形態としてもよい。また、各網で網目の形状が異なる形態としてもよい。
【００７３】
また、上記実施の形態において、第１網状部材３６及び第２網状部材４２の数は特に限定されない。例えば、第１網状部材３６及び第２網状部材４２の何れか一方のみを設ける形態としてもよい。また、例えば、第１網状部材３６及び第２網状部材４２の少なくとも一方を複数設ける形態としてもよい。この場合の形態例として、設けられた網の位置が水深方向の下に位置するほど、網目の大きさを小さくする形態が例示される。
【００７４】
また、上記実施の形態において、図１２に示すように、板状部材４６に代えて、第２網状部材４２の網４４を網８２に置き換えた第３網状部材８０を設ける形態としてもよい。この場合の形態例として、図１３に示すように、網８２の網目の大きさを、第２網状部材４２の網４４の網目より小さくする形態が例示される。
【００７５】
また、上記実施の形態では、板状部材４６における板４８の表面の形状として、側面視波状を適用した場合について説明したが、これに限定されない。例えば、図１４に示すように、板４８の表面の形状として、側面視三角形を適用してもよいし、板４８の表面に側面視凹部分が形成される形状であれば、他の形状を適用する形態としてもよい。
【００７６】
また、浮遊体１４及び浮遊植物群１６の配置状態は、上記実施の形態において説明した例（図１参照。）に限定されない。例えば、図１５に示すように、各浮遊体１４の間に複数列（図１５に示す例では２列）の浮遊植物群１６を配置する形態としてもよい。また、例えば、図１６に示すように、外枠管２２Ａ、２２Ｂにより形成された外枠の外側に浮遊植物束１６Ａを配置する形態としてもよい。また、例えば、図１７に示すように、浮遊体１４の遮光網状部材３０に代えて、浮遊植物群１６を設ける形態としてもよい。
【００７７】
また、上記実施の形態では、水槽１２を用いて養殖対象とする魚が生息する水域Ｗを形成する場合について説明したが、これに限定されない。例えば、水田や池等の水域に、４枚の平板状の仕切り部材を平面視矩形状に設けて、該仕切り部材の内側の水域を養殖対象とする魚が生息する水域Ｗとする形態としてもよい。
【００７８】
また、上記実施の形態では、人手による作業により排水管６６を回動させる場合について説明したが、これに限定されない。例えば、排水管６６に図示しないモータ、および該モータの駆動を制御する制御部を設け、該モータの駆動を該制御部により制御することによって、排水管６６の回動を電気的に制御する形態としてもよい。
【００７９】
また、上記実施の形態では、養殖対象とする魚として、ドジョウを適用した場合について説明したが、これに限定されない。例えば、養殖とする魚として、メダカ、コイ、フナ、ナマズ等の他の魚を適用する形態としてもよい。
【００８０】
その他、上記実施の形態で説明した魚養殖装置１０の構成（図１〜図１０参照。）は一例であり、本発明の主旨を逸脱しない範囲内において、不要な構成要素を削除したり、新たな構成要素を追加したりすることができることは言うまでもない。
【００８１】
さらに、上記実施の形態で示した魚を養殖する際の作業の流れ（図１１参照。）も一例であり、本発明の主旨を逸脱しない範囲内において、不要なステップを削除したり、新たなステップを追加したり、ステップの順序を入れ替えたりすることができることは言うまでもない。
【符号の説明】
【００８２】
１０  魚養殖装置
１６  浮遊植物群
１６Ａ  浮遊植物束
３０  遮光網状部材
３４  網
３６  第１網状部材
４０  網
４２  第２網状部材
４４  網
４６  板状部材
４８  板
【要約】
【課題】残餌に起因する生産性の低下を抑制することができる魚養殖装置を得る。
【解決手段】魚養殖装置１０は、養殖対象とするドジョウＤが生息する水域Ｗの水面下に水域Ｗの水面に沿った水面方向に沿って広げられた第１網状部材３６及び第２網状部材４２と、水域Ｗの水深方向に対して第１網状部材３６及び第２網状部材４２の下に第２網状部材４２と所定の間隔を空けて設けられた板状部材４６と、を備える。
【選択図】図２【図１】
0005902860.tif 000002
【図２】
0005902860.tif 000003
【図３】
0005902860.tif 000004
【図４】
0005902860.tif 000005
【図５】
0005902860.tif 000006
【図６】
0005902860.tif 000007
【図７】
0005902860.tif 000008
【図８】
0005902860.tif 000009
【図９】
0005902860.tif 000010
【図１０】
0005902860.tif 000011
【図１１】
0005902860.tif 000012
【図１２】
0005902860.tif 000013
【図１３】
0005902860.tif 000014
【図１４】
0005902860.tif 000015
【図１５】
0005902860.tif 000016
【図１６】
0005902860.tif 000017
【図１７】
0005902860.tif 000018